(57)【要約】【課題】簡易な構造で弁当利用者が容易に容器の開封を可能にするとともに、開封の際の痕跡が残り、これにより安全で衛生的な弁当容器を提供する。【解決手段】トレイ部と該トレイ部に嵌合する蓋部とを有する容器と、前記容器の外表面に配置された棒状部材と、簡易切断部を有するテープ状部材とを備え、前記テープ状部材の前記簡易切断部は、前記棒状部材の外表面近傍に配置され、前記テープ状部材は、前記トレイ部と前記蓋部との嵌合部分および前記蓋部および前記棒状部材の外表面の少なくとも一部のそれぞれを横断して覆い、前記トレイ部と前記蓋部と前記棒状部材とを封止していることを特徴とする。【選択図】　　　　図１
2004136902.tif 000002
【特許請求の範囲】
【請求項１】
トレイ部と該トレイ部に嵌合する蓋部とを有する容器と、
前記容器の外表面に配置された棒状部材と、
簡易切断部を有するテープ状部材とを備え、
前記テープ状部材の前記簡易切断部は、前記棒状部材の外表面近傍に配置され、前記テープ状部材は、前記トレイ部と前記蓋部との嵌合部分および前記蓋部および前記棒状部材の外表面の少なくとも一部のそれぞれを横断して覆い、前記トレイ部と前記蓋部と前記棒状部材とを封止していることを特徴とする封止帯付き容器。
【請求項２】
前記簡易切断部は、切り欠きを有することを特徴とする請求項１に記載の封止帯付き容器。
【請求項３】
前記簡易切断部は、切れ目を有することを特徴とする請求項１に記載の封止帯付き容器。
【請求項４】
前記簡易切断部は、ミシン目を有することを特徴とする請求項１に記載の封止帯付き容器。
【請求項５】
前記テープ状部材は、紙で形成されていることを特徴とする請求項１ないし４のいずれかに記載の封止帯付き容器。
【請求項６】
前記テープ状部材は、フィルムで形成されていることを特徴とする請求項１ないし４のいずれかに記載の封止帯付き容器。
【請求項７】
前記フィルムは、熱収縮性フィルムであり、熱収縮した状態で前記容器と前記棒状部材とを封止していることを特徴とする請求項６に記載の封止帯付き容器。
【発明の詳細な説明】
【０００１】
【発明の属する技術分野】
本発明は、封止帯付き容器に関し、特に、蓋と中身を封止するためのテープ状の紙またはフィルムを棒状の食器で簡便にはがす構造を持つ弁当容器に関する。
【０００２】
【従来の技術】
従来、コンビニなどで流通している弁当容器はコスト面から軟質の合成樹脂製であり、容器の包装はラップなどで容器全体を包むように覆うか、一部の麺類用の容器に見られるような熱収縮性の帯状フィルムであっても箸等の棒状の食器とともに覆うことはなかった。
【０００３】
これは、軟質の合成樹脂製の容器に対しては箸等の棒状の食器とともに覆っても、箸等の棒状の食器を剥がす際に容器が変形するので帯状フィルムを剥がす上での利便性が増加しないためである。したがって、これらは、封止という機能は満たしたが容易に剥がすという操作性においては十分なものではなかった。
【０００４】
このほか、粘着テープを容器の蓋と中身が剥がれないように貼り付けるものがあるが（例えば、特許文献１参照）、蓋を開けた痕跡が残りにくく封止の面で問題があった。オフィス宅配弁当などで使用される硬質または半硬質の合成樹脂製の弁当容器に関しては封止することをせずに運搬・配達をしてきた。
【０００５】
【特許文献１】
特開平８−３２２６２８号公報
【０００６】
【発明が解決しようとしている課題】
従来、オフィス宅配弁当などに使用される硬質または半硬質の合成樹脂製の弁当容器においては、蓋は中身の上に単に乗せているだけである。このため、運搬中などに不用意に蓋が外れ内容物が外気に晒されたりこぼれたりするのみならず不心得者が意図的に蓋を開けることも極めて容易であり、弁当を食べる者にとってこのような弁当容器は安全上および衛生上重大な問題を含んでいた。
【０００７】
上記問題に鑑みて、本発明の目的は、簡易な構造で弁当利用者が容易に容器の開封を可能にするとともに、開封の際の痕跡が残り、これにより安全で衛生的な弁当容器を提供することにある。
【０００８】
【課題を解決するための手段】
上記目的を達成するために、本発明の封止帯付き弁当容器は、トレイ部と該トレイ部に嵌合する蓋部とを有する容器と、前記容器の外表面に配置された棒状部材と、簡易切断部を有するテープ状部材とを備え、前記テープ状部材の前記簡易切断部は、前記棒状部材の外表面近傍に配置され、前記テープ状部材は、前記トレイ部と前記蓋部との嵌合部分および前記蓋部および前記棒状部材の外表面の少なくとも一部のそれぞれを横断して覆い、前記トレイ部と前記蓋部と前記棒状部材とを封止していることを特徴とする。
また、前記簡易切断部は、切り欠きを有してもよい。
さらに、前記簡易切断部は、切れ目を有してもよい。
さらにまた、前記簡易切断部は、ミシン目を有してもよい。
【０００９】
ここで、前記テープ状部材は、紙で形成されていてもよい。
また、前記テープ状部材は、フィルムで形成されていてもよい。
さらに、前記フィルムは、熱収縮性フィルムであり、熱収縮した状態で前記容器と前記棒状部材とを封止してもよい。
【００１０】
【発明の実施の形態】
以下、本発明の実施例を図面に基づいて説明する。
本発明の一実施形態を、図１（ａ）、（ｂ）に示す。
【００１１】
図１（ａ）は、棒状部材である棒状の食器として箸袋に入った箸を容器上面の中央部よりやや端に長手方向に平行に置きこれと直角に交差する方向に熱収縮性のテープ状フィルムを容器の外周一週に亘って覆った実施例の斜視図である。
【００１２】
図１（ｂ）は、図１（ａ）のフィルムが容器の外周一週に亘って覆った方向で切断した断面図である。
【００１３】
図１（ａ）に示すように、弁当容器１は、蓋部１ａおよびトレイ部１ｂを備え、ポリエチレンテレフタレート、ポリプロピレン、ポリ塩化ビニルなどからなる硬質または半硬質の材質であり、透明でも不透明でも印刷が施してあってもよい。
【００１４】
封止帯であるテープ状部材２は、容器１の蓋部１ａと中身およびトレイ部１ｂとが離れないような方向で容器外周一周を覆っている熱収縮性ポリ塩化ビニル、ポリエステル系共重合樹脂などからなる熱収縮性フィルム、または、テープ状の紙であり、透明でも不透明でも印刷が施してあってもよい。
【００１５】
ここで、テープ状部材２は、図１に示すように、容器外周一周を覆ってテープ端部を互いに接着等の方法により固定しても良いし、テープ端部のそれぞれをトレイ部１ｂの底面に、同様な方法で固定しても良い。
【００１６】
棒状部材４である箸の付近のテープ状部材２には、簡易切断部として、部分的な切り欠きまたは部分的な切れ目またはミシン目３が施されている。
【００１７】
ここで、棒状部材４は、上述の箸に限られるものではなく、例えば、スプーン、フォーク、あるいは先割れスプーンであってもよい。
【００１８】
箸４は、弁当容器の表面に置かれこの上を弁当容器１の蓋と中身とともにテープ状部材２が外周一周を覆っている。箸４の弁当容器の表面での位置は、図２に示すように容器側面でも良いし、図３に示すように蓋上面の中央でも良い。
【００１９】
図４は図１の実施例の弁当容器を重ねた状態を示し、図５は同様に図２の実施例の弁当容器を重ねた状態を示している。
【００２０】
図１の実施例のような箸の位置であれば運搬等で弁当容器を重ねる場合、図４に示すように交互に向きを変えれば弁当容器を傾けることなく、従来と同様重ねることができる。また、図２の実施例のような箸の位置であれば図５に示すように全く従来と同様に重ねることができる。
【００２１】
図６は、テープ状部材２であるテープ状の紙またはフィルムの簡易切断部であるミシン目、部分的な切り欠き、部分的な切れ目の実施例を示している。
【００２２】
図６（ａ）はテープ状の紙またはフィルムに破線状に切れ目を入れた実施例である。
【００２３】
図６（ｂ）は断続孔の実施例、図６（ｃ）はテープ状の紙またはフィルムに対する部分的な切り欠きの実施例、図６（ｄ）は同様に部分的な切れ目の実施例を示す。
【００２４】
このように構成した本発明においては、弁当容器の外表面に箸等の棒状の食器を置き、これらを紙または熱収縮性のテープ状フィルムで外周を覆い、箸等の棒状の食器付近においてテープ状の紙または熱収縮性フィルムに部分的な切り欠きまたは部分的な切れ目またはミシン目を持たせたことにより、蓋が容易に外れず、また封止もしてあることから、弁当利用者が安心して食することができ、また箸を引き剥がすことで紙または熱収縮性のテープ状フィルムの剥がしも簡便に行うことができる。
【００２５】
【発明の効果】
以上説明したように、本発明によれば合成樹脂製の弁当容器の表面に箸等の棒状の食器を置き、これらをテープ状の紙または熱収縮性のフィルムで外周を覆うことにより、▲１▼蓋が容易に外れないこと▲２▼蓋を封止すること▲３▼箸等の棒状食器を容器から引き離すことでテープ状の紙または熱収縮性フィルムを容易に剥がすことができるとともに、開封の際の痕跡が残ることにより、弁当利用者が安全で安心な弁当を入手することを可能にするばかりでなく外周を覆うテープ状の紙または熱収縮性のフィルムを剥がす際の手間を減少することができる。
【図面の簡単な説明】
【図１】（ａ）は箸を弁当容器の上面の中央よりやや端に置いた場合の本発明の一実施例の斜視図であり、（ｂ）は断面図である。
【図２】箸を弁当容器の側面に置いた場合の本発明の一実施例の断面図である。
【図３】箸を弁当容器の上面の中央に置いた場合の本発明の一実施例の断面図である。
【図４】図１の実施例において、弁当容器を重ねた状態を示す図である。
【図５】図２の実施例において、弁当容器を重ねた状態を示す図である。
【図６】（ａ）はテープ状の紙またはフィルムに破線状に切れ目を入れた本発明の一実施例を示す図であり、（ｂ）は断続孔を設けた一実施例を示す図であり、（ｃ）は部分的な切り欠きを設けた一実施例を示す図であり、（ｄ）は同様に部分的な切れ目を設けた一実施例を示す図である。
【符号の説明】
１　　弁当容器
１ａ　蓋部
１ｂ　トレイ部
２　　テープ状部材
３　　簡易切断部
４　　棒状部材
【図１】
2004136902.tif 000003
【図２】
2004136902.tif 000004
【図３】
2004136902.tif 000005
【図４】
2004136902.tif 000006
【図５】
2004136902.tif 000007
【図６】
2004136902.tif 000008